(57)【要約】【課題】電線の接続完了を外部から確認でき、また結線された電線を特別な冶具なしに簡単に行える端子装置を提供することにある。【解決手段】電線４を電線挿入孔３３から器体３内に押入すると、電線４は押さえばね部１１の押さえばね片１１ａの押圧部１１ｂを外方向に押して押さえばね片１１ａを撓ませながら速結端子部１の奥部に進み、やがて心線４ａの先端が表示・電線解除機構部２の押し受け体２３に当たって、上向きの力を押し受け体２３に加える。押し受け体２３に与えられる上向きの力は、レバー２１を回転させてその先端を細角孔３０の下端位置から上端位置へ移動させる。また同時に端子押圧体２２による鎖錠ばね片１０ｂの押圧が解除され、鎖錠ばね片１０ｂは電線４の心線４ａを鎖錠する。【選択図】図１
2004063212.tif 000002
【特許請求の範囲】
【請求項１】
配線器具等の使用器具の器体内に内蔵されて使用される端子装置において、先端で電線の心線を弾発力で押圧鎖錠する鎖錠ばね片を有する鎖錠ばね部と、鎖錠ばね片に並行するように配置され、上記電線を鎖錠ばね片方向に押圧する押さえばね片を有する押さえばね部とからなる速結端子部を備えるとともに、
一端が回転自在に軸体に軸支されたレバーと、該レバーに一体に設けられ、上記レバーが初期位置に回転している状態で先端により上記鎖錠ばね片の先部を押圧鎖錠方向とは反対方向に押圧する端子押圧体と、上記レバーに一体に設けられ、上記鎖錠ばね片と上記押さえばね片との間に介入される上記電線の心線の先端部で押圧力を受け、上記鎖錠ばね片への上記端子押圧体による押圧を解除するよう上記端子押圧体を移動させる方向に回転させる回転力を上記レバーに与える押し受け体と、上記レバーから上記鎖錠ばね片の押圧鎖錠方向とは反対方向に一体延出され、上記レバーが初期位置にあるとき先端部を上記器体に設けた係止部に離脱自在に係止し、上記レバーが上記回転力を受けて回転しようとするときの力によって撓んで上記係止部から先部を離脱する腕体とを有し、上記レバーの他端を上記器体に設けた孔より外部に臨ませている表示・電線解除機構部を備えていることを特徴とする端子装置。
【請求項２】
上記軸体を上記レバーに対して相対的に回転自在で且つ軸方向に移動自在に上記レバー支持させ、且つ上記軸体の一端部に上記器体の別の孔を介して外部に出没自在な接続完了表示部を設け、上記レバーには上記軸体を中心とするカム体を一体に設け、該カム体の上記軸体の他端部側面に中心部位から外縁方向に拡がった凹部を形成するとともに上記レバーが初期位置から回転力を受けて回転する方向の上記凹部の内側側面を上り傾斜面に形成し、該凹部に対応して上記軸体には凹部に嵌って上記カム体の回転により上記凹部内を回転方向に移動する突起を一体に設け、該突起が上記傾斜面に乗り上げて移動する際に上記軸体を他端部側に軸移動させることを特徴とする請求項１記載の端子装置。
【請求項３】
上記レバーが上記速結端子部での電線接続が完了する位置まで回転したときに上記軸体の上記突起が乗り越える段差を上記傾斜面に設けていることを特徴とする請求項２記載の端子装置。
【発明の詳細な説明】
【０００１】
【発明の属する技術分野】
本発明は、端子装置に関するものである。
【０００２】
【従来の技術】
端子装置としては、端子装置を納装している器体外部から電線挿入孔を介して電線先部を器体内部に差し込むだけで電線の心線を鎖錠できる速結式の端子装置が従来から提供されている。この端子装置はねじ端子を用いるものに比べてねじ緩みなどがなく安定した接続ができるということで広く普及している。
【０００３】
【発明が解決しようとする課題】
しかしながら上記の従来の端子装置は、電線が確実に結線されているのか否かが外部から分からないため、施工者に結線に対して不安視を与えるという問題があった。
【０００４】
また接続している電線を外す場合にはドライバーなどの冶具を用いて行うため施工しづらいという問題があった。
【０００５】
本発明は、上記の点に鑑みて為されたもので、その目的とするところは、電線の接続完了を外部から確実に確認でき、また結線された電線を特別な冶具なしに簡単に行える端子装置を提供することにある。
【０００６】
【課題を解決するための手段】
上記目的を達成するために、請求項１の発明では、配線器具等の使用器具の器体内に内蔵されて使用される端子装置において、先端で電線の心線を弾発力で押圧鎖錠する鎖錠ばね片を有する鎖錠ばね部と、鎖錠ばね片に並行するように配置され、上記電線を鎖錠ばね片方向に押圧する押さえばね片を有する押さえばね部とからなる速結端子部を備えるとともに、
一端が回転自在に軸体に軸支されたレバーと、該レバーに一体に設けられ、上記レバーが初期位置に回転している状態で先端により上記鎖錠ばね片の先部を押圧鎖錠方向とは反対方向に押圧する端子押圧体と、上記レバーに一体に設けられ、上記鎖錠ばね片と上記押さえばね片との間に介入される上記電線の心線の先端部で押圧力を受け、上記鎖錠ばね片への上記端子押圧体による押圧を解除するよう上記端子押圧体を移動させる方向に回転させる回転力を上記レバーに与える押し受け体と、上記レバーから上記鎖錠ばね片の押圧鎖錠方向とは反対方向に一体延出され、上記レバーが初期位置にあるとき先端部を上記器体に設けた係止部に離脱自在に係止し、上記レバーが上記回転力を受けて回転しようとするときの力によって撓んで上記係止部から先部を離脱する腕体とを有し、上記レバーの他端を上記器体に設けた孔より外部に臨ませている表示・電線解除機構部を備えていることを特徴とする。
【０００７】
請求項２の発明では、請求項１の発明において、上記軸体を上記レバーに対して相対的に回転自在で且つ軸方向に移動自在に上記レバー支持させ、且つ上記軸体の一端部に上記器体の別の孔を介して外部に出没自在な接続完了表示部を設け、上記レバーには上記軸体を中心とするカム体を一体に設け、該カム体の上記軸体の他端部側面に中心部位から外縁方向に拡がった凹部を形成するとともに上記レバーが初期位置から回転力を受けて回転する方向の上記凹部の内側側面を上り傾斜面に形成し、該凹部に対応して上記軸体には凹部に嵌って上記カム体の回転により上記凹部内を回転方向に移動する突起を一体に設け、該突起が上記傾斜面に乗り上げて移動する際に上記軸体を他端部側に軸移動させることを特徴とする。
【０００８】
請求項３の発明では、請求項２の発明において、上記レバーが上記速結端子部での電線接続が完了する位置まで回転したときに上記軸体の上記突起が乗り越える段差を上記傾斜面に設けていることを特徴とする。
【０００９】
【発明の実施の形態】
以下本発明を一実施形態により説明する。
【００１０】
図２（ａ）は、本実施形態の端子装置の構成部材の全体を示しており、この図で示すように本実施形態の端子装置は速結端子部１と、電線接続状態完了を表示する機能と、電線接続を解除する機能とを備えた表示・電線解除機構部２とから構成される。
【００１１】
速結端子部１は一枚の導電性ばね材料を折り曲げて鎖錠ばね部１０と、押さえばね部１１とを一体に形成したものであって、鎖錠ばね部１０は、図１に示すおように端子装置を収納する配線器具の器体３内に固持される基片１０ａと、この基片１０ａの一端よりＵ字状に折り返して、基片１ａとは徐々に離れるように傾斜しながら基片１ａの他端側へ延長形成され、その先端で後述する電線４の心線４ａを弾発力で押圧鎖錠する鎖錠部１０ｄを形成する鎖錠ばね片１０ｂと、基片１０ａの他端より略Ｓ字状に折り曲げ形成された延長片１０ｃとで構成され、押さえばね部１１は延長片１０ｃの先端より鎖錠ばね片１０ｂの先端近傍を通って、鎖錠ばね片１０ｂと並行しながら鎖錠ばね片１０ｂの基部付近まで延長形成された押さえばね片１１ａからなり、その先部には突出方向が鎖錠ばね片１０ｂ方向になるようにく字状に折り曲げてその屈曲部により形成される押圧部１１ｂを設けている。
【００１２】
一方表示・電線解除機構部２は、合成樹脂成形品からなり、図２（ａ）（ｂ）に示すように円盤状のカム体２０を一端に設けた接続完了表示手段と解除手段とを兼ねたレバー２１と、このレバー２１の中間部からカム体２０方向に一体延出され、その先端部が速結端子部１の鎖錠ばね部１０の鎖錠ばね片１０ｂの先部を反弾発方向に押圧する端子押圧体２２と、端子押圧体２２の基部付近のレバー２１の側面より側面に直交する方向に突出し、後述する電線４の心線４ａ先端で押されることで後述する軸体２５を中心とした回転力をレバー２１に与える押し受け体２３と、上記端子押圧体２２の基部よりカム体２０方向に一体突出され、その先端をＬ字状とした撓み可能な弾性を持つ腕体２４と、カム体２０の中心に設けた挿通孔（図示せず）に挿通することにより回動自在で且つ軸方向に移動可能なように支持され、一端部に軸方向に直交する面形状が四角形の接続完了表示部２９を設けた回動軸２５とからなり、軸体２５の他端部側のカム体２０の面には図４（ｂ）に示すように中心部に円形の凹部２６を形成するとともにこの凹部２６に要側が連通した扇状の凹部２７，２７を中心部を挟んで対称的に形成し、これら凹部２７，２７に対応して軸体２５からは突起２８，２８を突出させ凹部２６と凹部２７との連通部を介して図４（ａ）に示すように先部を凹部２７に嵌め込み、軸体２５とカム体２０とが相対的に一方向に回転したときに当該回転方向側の凹部２７の側壁に形成した傾斜面２７ａに乗り上げることで軸体２５を図４（ｂ）に示すよう他端側へ軸方向に移動させることができるようなっている。尚突起２８が乗り越える段差２７ｂを電線接続完了に対応する傾斜面２７ａ上の位置に設けてある。
【００１３】
以上のように構成した速結端子部１及び表示・電線解除機構部２を組み込む配線器具の器体３は次のように構成される。
【００１４】
つまり器体３はボディ３ａとこれに被着されるカバー３ｂとからなるもので、図３（ａ）（ｂ）に示すように一側面にはレバー２１の先端を露出させる細角孔３０を開口し、この細角孔３０を開口した側面に対して直交する側面には接続完了表示部２９を出没自在に挿入する角孔３１を開口してある。
【００１５】
そして器体３の内部では、図１（ａ）に示すように上記細角孔３０を開口した側壁とは反対側の側壁に沿うように鎖錠ばね部１０の基片１０ａを配置して鎖錠ばね片１０ｂとのＵ字状の連結部位を底壁上に載置して鎖錠ばね部１０を器体３内に配設する。この場合例えば基片１０ａの側端を側方の側壁内面に形成した嵌合溝（図示せず）に嵌合して動かないように固持させることで保持するようになっている。
【００１６】
ここで器体３は鎖錠ばね部１０の鎖錠ばね片１０ｂの基部と、押さえばね部１１の押さえばね片１１ａの先端との間隙の開口部が臨む位置に対応する底壁に電線挿入孔３３を開口してあり、外部から電線挿入孔３３を介して器体３内に電線４の心線４ａを挿入すれば、上記間隙内へ導入されるようになっている。
【００１７】
一方表示・電線解除機構部２は、速結端子部１の側方に配置されるもので、器体３内部から上記細角孔３０に内側からレバー２１の先端を挿入するとともに、軸体２５の一端部に設けた接続完了表示部２９を角孔３１に挿入して外部へ図３（ａ）に示すよう突出させる。この位置は上記腕体２４のＬ字状先部２４ａが鎖錠ばね部１０の基片１０ａと延長片１０ｃとの連結部位付近に配置されるように設定されている。そして上記角孔３１を開口した側壁の基片１０ａと延長片１０ｃとの連結部位付近の内面側には上記腕体２４のＬ字状先部２４ａを係止するための係止部３４を先端に設けたリブ３２を形成しており、上記腕体２４のＬ字状先部２４ａが係止部３４に離脱自在に係止されることで、表示・電線解除機構部２はレバー２１に一体に設けた端子押圧体２２の先端を鎖錠ばね片１０ｂの先部に反弾発方向に押圧させて鎖錠ばね片１０ｂを基片１０ａ側に撓ませた初期状態に設定される。このとき腕体２４が鎖錠ばね片１０ｂの弾発力による荷重を受けて係止部３４とＬ字状先部２４ａとの係止が保持される。この初期状態では表示・解除機構部２の押し受け体２３の先部が鎖錠ばね片１０ｂの先部よりやや奥で延長片１０ｃの内角部に対応する押さえばね片１１ａ近傍付近の速結端子部１内に配置される。
【００１８】
尚図においては配線器具側の通電経路と速結端子部１との接続関係については省略しているが、配線器具がスイッチであれば、本発明端子装置が負荷或いは電源端子として用いられ、またコンセントであれば電源端子として用いられるの言うまでもなく、また配線器具に限らず機器組み込みの端子装置として用いることも勿論できる。
【００１９】
而して今図１（ａ）の初期状態から、図１（ｂ）に示すように電線４の心線４ａを電線挿入孔３３から器体３内に押入すると、電線４は押さえばね部１１の押さえばね片１１ａの押圧部１１ｂに近接しながら速結端子部１の奥部に進み、やがて心線４ａの先端が表示・電線解除機構部２の押し受け体２３に当たって、図において上向きの力を押し受け体２３に加える。
【００２０】
押し受け体２３に与えられる上向きの力は、レバー２１を図において反時計方向の回転させる力となる。ここで軸体２５は一端部の接続完了表示部２９が角孔３１に嵌合しているため回転せず、レバー２１が軸体２５を中心として回転することになる。このレバー２１の回転動作の力によって、腕体２４は撓みながらその基端部が図１（ｃ）に示す矢印方向に移動し、Ｌ字状先部２４ａが係止部３４より離脱することになる。これにより一気にレバー２１が回転し、この回転によって鎖錠ばね部１０の鎖錠ばね片１１ｂの先端を押圧していた端子押圧体２２が後退するため、鎖錠ばね片１１ｂはその弾発力により復帰して先端の鎖錠部１１ｄで電線４の心線４ａを押さえばね部１１の押さえばね片１１ａ側に押すとともに鎖錠部１１ｄのエッジで鎖錠する。このとき電線挿入孔３３に近い電線４の部位が押さえばね片１１ａの押圧部１１ｂによって鎖錠ばね片１１ｂ方向に押圧されているため上記鎖錠は確実なものとなる。
【００２１】
一方軸体２５の突起２８がカム体２０の回転によって凹部２７の傾斜面２７ａに乗り上げて傾斜面２７ａを上り、最終的には電線接続完了位置に対応して設けた段差に２７ｂを乗り越える。この段差２７ｂを突起２８が乗り越える際にカッチという音が発せされることにより施工者は電線接続が完了したことを知ることができる。
【００２２】
また図４（ａ）の状態から図４（ｂ）に示すように軸体２５は他端部側に向けて軸方向に移動する。この移動によって軸体２５の一端部に設けた接続完了表示部２９が角孔３１内に引き込まれ、接続が完了したことを表示する。またレバー２１もその先端を細角孔３０の下端位置から上端位置へ移動させることになり、この先端の位置や上記接続完了表示部２９の位置によって電線４の接続が完了したことを施工者は器体３外部から視認できることになる。
【００２３】
さて上記のように鎖錠された電線４を外す場合には、細角孔３０の上端位置へ移動しているレバー２１の先端を図５に示す矢印方向に押し下げて軸体２５を中心としてレバー２１を時計方向に回転させる。この回転によってカム体２０の凹部２７の傾斜面２７ａを軸体２５の突起２８が下るため軸体２５は一端部側に向けて軸方向に移動し、一端部の接続完了表示部２９を角孔３１から器体３外部に突出させる。またレバー２１の回転に伴って端子押圧体２２の先端が前進して鎖錠ばね部１０の鎖錠ばね片１１ｂの先部を押して基片１１ａ方向に撓ませるとともに、腕体２４のＬ字状先部２４がリブ３２の上端の係止部３４に嵌って係止され、表示・解除機構部２は初期状態に戻ることになる。これにより電線４の鎖錠状態が解除され電線４を器体３外へ抜くことができることになる。
【００２４】
尚接続完了表示部２９とカム体２０との間の軸体２５にコイルばねを装着し、このコイルばねの外向きの付勢力でレバー２１が初期位置に復帰した際、接続完了表示部２９を角孔３１から器体３外部に自動復帰させるようにしても良い。
【００２５】
【発明の効果】
請求項１の発明は、配線器具等の使用器具の器体内に内蔵されて使用される端子装置において、先端で電線の心線を弾発力で押圧鎖錠する鎖錠ばね片を有する鎖錠ばね部と、鎖錠ばね片に並行するように配置され、上記電線を鎖錠ばね片方向に押圧する押さえばね片を有する押さえばね部とからなる速結端子部を備えるとともに、
一端が回転自在に軸体に軸支されたレバーと、該レバーに一体に設けられ、上記レバーが初期位置に回転している状態で先端により上記鎖錠ばね片の先部を押圧鎖錠方向とは反対方向に押圧する端子押圧体と、上記レバーに一体に設けられ、上記鎖錠ばね片と上記押さえばね片との間に介入される上記電線の心線の先端部で押圧力を受け、上記鎖錠ばね片への上記端子押圧体による押圧を解除するよう上記端子押圧体を移動させる方向に回転させる回転力を上記レバーに与える押し受け体と、上記レバーから上記鎖錠ばね片の押圧鎖錠方向とは反対方向に一体延出され、上記レバーが初期位置にあるとき先端部を上記器体に設けた係止部に離脱自在に係止し、上記レバーが上記回転力を受けて回転しようとするときの力によって撓んで上記係止部から先部を離脱する腕体とを有し、上記レバーの他端を上記器体に設けた孔より外部に臨ませている表示・電線解除機構部を備えているので、電線の心線を速結端子部に挿入接続する際に電線の挿入力を用いて上記レバーを回転させることができ、その結果上記レバーの回転によるレバーの他端の移動により電線接続完了を器体外部から確実に視認することができ、その結果結線に関する信頼性を施工業者に与えることができ、しかも上記レバーを操作するだけで該レバーの端子押圧体により上記鎖錠ばね片を反鎖錠方向へ押圧して鎖錠状態を解除することができ、そのためドライバー等の冶具を用いることなく簡単に電線を引き外すことができ、更に初期位置では上記鎖錠ばね片を反鎖錠方向に押圧した状態を腕体の係止によって維持できるから上記鎖錠ばね片と上記押さえばね片との間への電線の心線の挿入も容易に行え、しかも表示・電線解除機構部を一つの部品として構成できるため、部品費、組立加工費の削減が図れる。
【００２６】
請求項２の発明は、請求項１の発明において、上記軸体を上記レバーに対して相対的に回転自在で且つ軸方向に移動自在に上記レバー支持させ、且つ上記軸体の一端部に上記器体の別の孔を介して外部に出没自在な接続完了表示部を設け、上記レバーには上記軸体を中心とするカム体を一体に設け、該カム体の上記軸体の他端部側面に中心部位から外縁方向に拡がった凹部を形成するとともに上記レバーが初期位置から回転力を受けて回転する方向の上記凹部の内側側面を上り傾斜面に形成し、該凹部に対応して上記軸体には凹部に嵌って上記カム体の回転により上記凹部内を回転方向に移動する突起を一体に設け、該突起が上記傾斜面に乗り上げて移動する際に上記軸体を他端部側に軸移動させるので、上記レバーの回転に連動して上記軸体を軸方向に移動させて、その軸体の一端部に設けた接続完了表示部を器体内外に出没させることができ、そのため接続完了表示部の出没状態でも電線接続完了を視認することができる。
【００２７】
請求項３の発明は、請求項２の発明において、上記レバーが上記速結端子部での電線接続が完了する位置まで回転したときに上記軸体の上記突起が乗り越える段差を上記傾斜面に設けているので、上記突起が段差に乗り上げるときに発生する音でも電線接続完了を聴覚的に確認することもできる。
【図面の簡単な説明】
【図１】本発明の実施形態の電線接続の動作説明図である。
【図２】（ａ）は同上の速結端子部と表示・電線解除機構部の斜め側方から見た斜視図である。
（ｂ）は同上の表示・電線解除機構部の斜視図である。
【図３】（ａ）は同上の電線非接続状態の外観斜視図である。
（ｂ）は同上の電線接続状態の外観斜視図である。
【図４】（ａ）は同上の電線非接続状態の表示・電線解除機構部の斜視図である。
（ｂ）は同上の電線接続状態の表示・電線解除機構部の斜視図である。
【図５】同上の電線外しの動作説明図である。
【符号の説明】
１　速結端子部
２　表示・電線解除機構部
３　器体
４　電線
４ａ　心線
１０　鎖錠ばね部
１０ｂ　鎖錠ばね片
１１　押さえばね部
１１ａ　押さえばね片
２０　カム体
２１　レバー
２２　端子押圧体
２３　押し受け体
２４　腕体
２４ａ　Ｌ字状先部
２５　軸体
３０　細角孔
３３　電線挿入孔
３４　係止部
【図１】
2004063212.tif 000003
【図２】
2004063212.tif 000004
【図３】
2004063212.tif 000005
【図４】
2004063212.tif 000006
【図５】
2004063212.tif 000007